(57)【要約】【課題】信号の重複送信を防止することができる通信システム、通信方法、及びプログラムを提供することである。【解決手段】実施形態の通信システムは、管制局と、送受信局とを持つ。管制局は、通信衛星回線を介して複数の送受信局から受信した信号に基づいて、複数の送受信局が使用している通信帯域を示す情報である受信情報を生成する。管制局は、生成した受信情報を複数の送受信局それぞれへ送信する。送受信局は、管制局が送信した受信情報を受信する。送受信局は、受信した受信情報に基づいて使用されている通信帯域を保護する。【選択図】図１
2018050105.tif 000002
【特許請求の範囲】
【請求項１】
通信衛星回線を介して複数の送受信局から受信した信号に基づいて、前記複数の送受信局が使用している通信帯域を示す情報である受信情報を生成し、生成した前記受信情報を前記複数の送受信局それぞれへ送信する管制局と、
前記管制局が送信した前記受信情報を受信し、受信した前記受信情報に基づいて使用されている前記通信帯域を保護する送受信局と、
を備える通信システム。
【請求項２】
前記送受信局は、
前記管制局が前記受信情報の送信に使用するための予め定められている通信帯域を保護する、請求項１に記載の通信システム。
【請求項３】
前記送受信局は、
前記保護されている通信帯域を使用しての前記信号の送信を禁止する、請求項１または請求項２に記載の通信システム。
【請求項４】
前記送受信局は、
保護されていない前記通信帯域を使用して前記信号を送信することを許可する、請求項１から請求項３のいずれか１項に記載の通信システム。
【請求項５】
前記管制局は、
前記複数の送受信局から前記信号を、前記通信衛星回線を介して受信し、
前記複数の送受信局それぞれは、
前記受信情報を、前記通信衛星回線および地上の通信回線のうち少なくとも１つを介して受信する、請求項１から請求項４のいずれか１項に記載の通信システム。
【請求項６】
前記送受信局は、表示部、を備え、
前記表示部上に表示される複数の前記通信帯域それぞれに対応する選択画像のうち、前記保護されている通信帯域に対応する前記選択画像を選択できないように保護することで前記通信帯域を保護する、請求項１から請求項５のいずれか１項に記載の通信システム。
【請求項７】
管制局が、通信衛星回線を介して複数の送受信局から受信した信号に基づいて、前記複数の送受信局が使用している通信帯域を示す情報である受信情報を生成し、生成した前記受信情報を前記複数の送受信局それぞれへ送信する送信ステップと、
送受信局が、前記送信ステップによって送信された前記受信情報を受信し、受信した前記受信情報に基づいて使用されている前記通信帯域を保護する保護ステップと、
を有する通信方法。
【請求項８】
送受信局と管制局を含む通信システムの前記管制局のコンピュータに、
通信衛星回線を介して複数の送受信局から受信した信号に基づいて、前記複数の送受信局が使用している通信帯域を示す情報である受信情報を生成し、生成した前記受信情報を前記複数の送受信局それぞれへ送信する送信ステップ、
を実行させ、
前記送受信局のコンピュータに、
前記送信ステップによって送信された前記受信情報を受信し、受信した前記受信情報に基づいて使用されている前記通信帯域を保護する保護ステップ、
を実行させるプログラム。
【発明の詳細な説明】
【技術分野】
【０００１】
本発明の実施形態は、通信システム、通信方法、及びプログラムに関する。
【背景技術】
【０００２】
近年、複数の装置を組み合わせて目的の処理に応じたシステムを構成することが行われている。ＳＮＧ（Ｓａｔｅｌｌｉｔｅ  Ｎｅｗｓ  Ｇａｔｈｅｒｉｎｇ）の通信システムは、通信衛星と管制局と基地局と中継車（車載局）等により構成される。このような通信システムでは、例えば、車載局が、撮影場所から番組の素材である映像と音声を電波として通信衛星を経由して、放送または伝送する。
【０００３】
放送事業者は、通信衛星を管理している電気通信事業者と契約して、このような通信サービスを利用している。通信衛星に搭載されているトランスポンダには限りがあるため、一般的に放送局は系列局全体で、周波数帯域毎、時間帯毎に利用する契約を行っている。ここで、１つのトランスポンダの周波数帯域には、例えば４組の放送用の送信信号（映像データと音声データ）が含まれる。
【０００４】
放送局は系列全体でトランスポンダの周波数帯域を契約しているため、全体的な運用を管理する局（管制局）とサービスを利用する一般の放送局に大別される。管制局は、放送局が提出した運用スケジュールに基づいて複数の車載局が送信した電波を一元管理している。そして、例えば、車載局Ａと車載局Ｂの２つが送信信号を送信する場合、車載局Ａがチャネル１〜チャネル４の４つのうちチャネル１を用いて送信を行っているときに、車載局Ｂがチャネル１を用いて送信を行おうとすると重複送信となるので、それを監視して抑止する。
【０００５】
このような重複送信に対して、従来は、基地局内や車載局内の装置における操作手順を統一することで低減するようにしていた。また、従来、例えば複数の車載局がある場合、オペレーターが、自局の送信で使用している通信帯域を確認して、自局の送信で使用している通信帯域への重複送信を防ぐように目視などで確認していた。また、オペレーターは、他の車載局が使用している通信帯域を、例えば予め配布された運用スケジュールを確認して、その通信帯域への重複送信を防ぐようにしていた。いずれの場合も人間系による確認が主体であった。
【０００６】
このように、使用されている通信帯域への重複送信は、ヒューマンエラーによって発生する可能性を除去できなかった。そして、仮に重複送信が発生した場合、２つの車載局から送信された送信情報が混信するため、送信した局のみならず、先に伝送していた放送局にも障害が発生し、適切なデータを復号できなくなる可能性があった。さらに、２つの車載局から同時に電波が送信されたことにより、通信衛星が受信する電波が規定の大きさより大きくなり、衛星に搭載されているトランスポンダへの入力が過大入力となりにトランスポンダへダメージを与える可能性があった。
【先行技術文献】
【特許文献】
【０００７】
【特許文献１】特開２０１１−１３０４９８号公報
【発明の概要】
【発明が解決しようとする課題】
【０００８】
本発明が解決しようとする課題は、信号の重複送信を防止することができる通信システム、通信方法、及びプログラムを提供することである。
【課題を解決するための手段】
【０００９】
実施形態の通信システムは、管制局と、送受信局とを持つ。管制局は、通信衛星回線を介して複数の送受信局から受信した信号に基づいて、複数の送受信局が使用している通信帯域を示す情報である受信情報を生成する。管制局は、生成した受信情報を複数の送受信局それぞれへ送信する。送受信局は、管制局が送信した受信情報を受信する。送受信局は、受信した受信情報に基づいて使用されている通信帯域を保護する。
【図面の簡単な説明】
【００１０】
【図１】本実施形態の通信システムの構成を示す図。
【図２】本実施形態の複数の送受信局と管制局との送信信号及びＩＰデータの送受信の例を示す図。
【図３】本実施形態の複数の送受信局と管制局との送信信号及びＩＰデータの例を示す図。
【図４】本実施形態のＩＰデータ受信後の複数の送受信局と管制局との送受信の例を示す図。
【図５】本実施形態の通信帯域の利用の一例を示す図。
【図６】本実施形態の重複送信保護情報の一例を示す図。
【図７】本実施形態の表示部上に表示される画像の一例を示す図。
【図８】本実施形態の通信システムが行う処理のフローチャートの一例を示す図。
【図９】本実施形態の通信システムの他の構成を示す図。
【発明を実施するための形態】
【００１１】
以下、実施形態の通信システム、通信方法、及びプログラムを、図面を参照して説明する。
図１は、本実施形態の通信システム１の構成を示す図である。
図１に示すように、通信システム１は、送受信局１０及び管制局３０を備える。また、送受信局１０は、通信部１１、ＳＮＧコントローラ１２、各単体機器１３、ＳＳＰＡ１４（通信装置）、アンテナ１５、表示部１６、及び操作部１７を備える。また、管制局３０は、受信設備３１、管制局システムコントローラ３２、及び通信部３３を備える。なお、送受信局１０は基地局のような固定局の場合だけでなく、車載局のような移動局の場合もある。
【００１２】
送受信局１０と管制局３０とは、通信衛星２０を介して、すなわち通信衛星回線を介して相互に通信を行う。なお、送受信局１０は、１つであっても複数であってもよい。送受信局１０が複数の場合、送受信局１０は、他の送受信局１０または管制局３０と通信衛星２０を介して相互に通信を行う。通信に用いる通信帯域は、例えば１２ＧＨｚ−１８ＧＨｚのＫｕバンドである。
【００１３】
送受信局１０は、固定局及び移動局のうち少なくとも１つを含む。固定局とは、地上に設置されている送信局である。移動局とは、中継車や、フライアウェイアンテナを含む可搬型の送信局を含む。なお、基地局と移動局との構成は同一であっても、異なっていてもよい。送受信局１０は、通信衛星２０を介して送信信号を管制局３０へ送信する。なお、送信信号は、映像データ、音声データのうち少なくとも１つである。また、画像データは、動画データ、静止画データ、文字データ等を含む。また、送受信局１０は、管制局３０が送信した情報を、通信衛星２０を介して受信する。管制局３０が送信する情報には、音声連絡、送受信局１０が送信に使用している通信帯域（またはチャネル）を示す受信情報等が含まれている。また、音声連絡とは、音声信号を連絡に用いる回線である。音声連絡は、例えば管制局３０から運用スケジュールを音声で送受信局１０に報知するために用いられたり、送受信局１０と管制局３０との音声による連絡用に用いられたりする。以下、実施形態では、管制局３０が送信する情報が、ＩＰ（Ｉｎｔｅｒｎｅｔ  Ｐｒｏｔｏｃｏｌ）に基づくＩＰデータの例を説明する。ここで、運用スケジュールとは、送受信局１０それぞれが、送信信号を送信する時間と通信帯域とが各送受信局１０に関連付けられている予約または提出されているトランスポンダの利用スケジュールである。
【００１４】
通信部１１は、管制局３０が送信したＩＰデータを、アンテナ１５を介して受信し、受信したＩＰデータをＳＮＧコントローラ１２に出力する。
【００１５】
ＳＮＧコントローラ１２は、通信部１１が出力したＩＰデータから受信情報を抽出する。ＳＮＧコントローラ１２は、抽出した受信情報を解析して、送信の重複を防ぐための重複送信保護情報を更新する。ＳＮＧコントローラ１２は、操作部１７が出力する操作結果に応じて、更新した重複送信保護情報に基づいて、各単体機器１３とＳＳＰＡ１４を制御し、送信信号の送信制御を行う。なお、重複送信保護情報の作成方法、重複送信保護情報の更新方法、送信信号の送信制御の方法については後述する。また、ＳＮＧコントローラ１２は、送信の操作に必要な通信帯域等の情報を表示部１６に出力する。
【００１６】
各単体機器１３は、映像データ、音声データ、画像データのうち少なくとも１つの送信信号を出力する機器であり、例えば映像記録再生装置、音声記録再生装置、デジタルカメラ、パーソナルコンピュータ、テロップ生成装置等である。各単体機器１３は、ＳＮＧコントローラ１２の制御に応じて送信信号を変調波に変換し、適正なレベルでＳＳＰＡ１４に出力する。
【００１７】
ＳＳＰＡ（Ｓｏｌｉｄ  Ｓｔａｔｅ  Ｐｏｗｅｒ  Ａｍｐｌｉｆｉｅｒ;固体電力増幅器）１４は、各単体機器１３が出力したデータに対して電力増幅を行い、増幅した信号を送信信号としてアンテナ１５に出力する。なお、ＳＳＰＡ１４は、衛星通信装置（通信装置）を含む。この部分は進行波管を用いたＨＰＡ（Ｈｉｇｈ  Ｐｏｗｅｒ  Ａｍｐｌｉｆｉｅｒ）でもよい。
【００１８】
アンテナ１５は、例えばパラボラアンテナである。アンテナ１５は、管制局３０が送信したＩＰデータを含む電波を受信信号に変換して、変換した受信信号を通信部１１に出力する。また、アンテナ１５は、ＳＳＰＡ１４が出力した送信信号を電波に変換して、変換した電波を、通信衛星２０を介して管制局３０へ送信する。
【００１９】
表示部１６は、例えば液晶表示装置、有機ＥＬ（ＥｌｅｃｔｒｏＬｕｍｉｎｅｓｃｅｎｃｅ；エレクトロルミネッセンス）装置等である。表示部１６はＳＮＧコントローラ１２が出力した画像情報を表示する。
【００２０】
操作部１７は、例えばキーボード、マウス、タブレット、タッチパネルセンサー等である。なお、操作部１７がタッチパネルセンサーの場合、操作部１７は、表示部１６上に取り付けられている。操作部１７は、オペレーターが操作した操作結果を検出して、検出した操作結果をＳＮＧコントローラ１２に出力する。
【００２１】
なお、上述した送受信局１０の構成は一例であり、これに限られない。例えば、音量を調整するミキサー、映像に効果を与えるエフェクター、テスト信号発生装置、各種測定装置等を備えていてもよい。
【００２２】
管制局３０は、予め放送局から提出されたトランスポンダの運用スケジュールや、管制局３０が有する監視設備を用いて、送受信局１０が送信に使用する通信帯域を管理する。
また、管制局３０は受信設備３１にて、送受信局１０が送信した送信信号を受信して、受信した送信信号に基づいて受信情報を生成する。管制局３０は、生成した受信情報をＩＰデータに変換して、変換したＩＰデータを、通信衛星２０を介して送受信局１０へ送信する。なお、ＩＰデータは、少なくとも受信情報を含み、他の情報を含んでいてもよい。
【００２３】
受信設備３１は、アンテナ及び受信機を含む。受信設備３１は、送受信局１０が送信した送信信号を受信して、受信パラメータ（発局情報、受信周波数、レベル等）を管制局システムコントローラ３２に出力する。
【００２４】
管制局システムコントローラ３２は、受信設備３１が出力した送信信号に基づいて受信情報を生成し、生成した受信情報をＩＰデータに変換する。管制局システムコントローラ３２は、変換したＩＰデータを通信部３３に出力する。
【００２５】
通信部３３は、管制局システムコントローラ３２が出力したＩＰデータを受信設備３１が有するアンテナ、通信衛星２０を介して全ての送受信局１０へ送信する。なお、送信に用いるアンテナは、受信設備３１が有するアンテナと別に管制局３０が有するようにしてもよい。
【００２６】
次に、複数の送受信局１０と管制局３０とのデータ及びＩＰデータのやりとりの例を、図２〜図７を用いて説明する。以下に示す例は、送受信局１０が、車載局１０−１、車載局１０−２、及び基地局１０−３を備える。車載局１０−１、車載局１０−２、及び基地局１０−３それぞれの構成は、図１に示した送受信局１０の構成である。
【００２７】
まず、図２と図３を用いて説明する。
図２は、本実施形態の複数の送受信局１０と管制局３０との送信信号及びＩＰデータの送受信の例を示す図である。図３は、本実施形態の複数の送受信局１０と管制局３０との送信信号１０１及びＩＰデータ１０２の例を示す図である。図３において、横軸は周波数である。
【００２８】
図３において、符号ｇ１は、中心周波数がｆ１の通信帯域を示す。この通信帯域で送信される情報は、ＩＰデータ１０２（図２）である。符号ｇ２は、中心周波数がｆ２のチャネル１（Ｃｈ１）の通信帯域を示す。Ｃｈ１の通信帯域で送信される送信信号１０１（図２）は、基地局１０−３（図２）が送信した映像データ・音声データである。符号ｇ３は、中心周波数がｆ３のチャネル２（Ｃｈ２）の通信帯域を示す。Ｃｈ２の通信帯域で送信される送信信号１０１は、車載局１０−１（図２）が送信した映像データ・音声データである。符号ｇ４は、中心周波数がｆ４のチャネル３（Ｃｈ３）の通信帯域を示す。Ｃｈ３の通信帯域で送信される送信信号１０１は、車載局１０−２（図２）が送信した映像データ・音声データである。符号ｇ５は、中心周波数がｆ５のチャネル４（Ｃｈ４）の通信帯域を示し、未使用の通信帯域である。なお、１つのトランスポンダの帯域は、例えば３６ＭＨｚであり、映像データ・音声データの帯域が３２ＭＨｚ（＝８ＭＨｚ×４）、残りの帯域が４ＭＨｚである。なお、本実施形態では、ＩＰデータで使用される通信帯域を、管制局３０が使用する通信帯域としている。
【００２９】
例えば、時刻ｔのとき、基地局１０−３は、Ｃｈ１の通信帯域を用いて映像データ・音声データを、通信衛星２０を介して管制局３０に送信する。基地局１０−３は、Ｃｈ１に対する再送信を禁止する重複送信保護情報を作成し、確認して送信実行するものとする。
時刻ｔのとき、車載局１０−１は、Ｃｈ２の通信帯域を用いて映像データ・音声データを、通信衛星２０を介して管制局３０に送信する。車載局１０−１は、Ｃｈ２に対する再送信を禁止する重複送信保護情報を作成し、確認して送信実行するものとする。
時刻ｔのとき、車載局１０−２は、Ｃｈ３の通信帯域を用いて映像データ・音声データを、通信衛星２０を介して管制局３０に送信する。車載局１０−２は、Ｃｈ３に対する再送信を禁止する重複送信保護情報を作成し、確認して送信実行するものとする。
【００３０】
なお、従来、例えば２つの通信帯域に対して同時に送信信号を送信できる構成を送受信局１０が備える場合、オペレーターは、自局が先に送信に用いている通信帯域を、ＳＮＧコントローラで把握し、例えば表示部１６上に表示などを確認したり、操作部１７に重複送信禁止の処理をかけることはできていた。しかしながら、自局以外の重複送信の確認について、送信局１０のオペレーターは、他の送受信局１０が使用している通信帯域について、運用スケジュールを確認したり、管制局３０が送信する音声連絡を確認して、使用されている通信帯域と使用されていない通信帯域を確認する必要があった。放送局は、系列局と共同で１つのトランスポンダを契約している場合が多い。このような場合、系列局が例えば３０とかあり、臨時ニュース等が入ったりすると、運用スケジュールから変更になることも少なくない。運用スケジュールの変更は、各送受信局１０のオペレーターが音声連絡や、携帯電話網、ファクシミリ等を用いて管制局３０や他の送受信局１０へ連絡している。このような状況であるため、送受信局１０のオペレーターは、ヒューマンエラーによって他の送受信局１０が使用している通信帯域へ送信してしまう可能性があった。
【００３１】
管制局３０は、車載局１０−１、車載局１０−２、及び基地局１０−３それぞれから受信した送信信号１０１に基づいて受信情報を生成する。受信情報は、通信に使用できる周波数の帯域（以下、通信帯域という）のうち、Ｃｈ１、Ｃｈ２、及びＣｈ３の通信帯域が使用されていることを示す情報を含む。管制局３０は、生成した受信情報をＩＰデータ１０２に変換して、変換したＩＰデータ１０２を、通信衛星２０を介して車載局１０−１、車載局１０−２、及び基地局１０−３に送信する（ｃ１）。このＩＰデータ１０２には、現在送信を行っている全局の通信帯域に関する情報が含まれる。
【００３２】
車載局１０−１、車載局１０−２、及び基地局１０−３それぞれは、通信衛星２０を介して管制局３０が送信したＩＰデータ１０２を受信する。
ＩＰデータ１０２の受信に応じて、車載局１０−１、車載局１０−２、及び基地局１０−３それぞれは、通信帯域のうちＣｈ１〜Ｃｈ３が使用されていることを検出する。
【００３３】
次に、図４〜図７を用いて、説明を続ける。
図４は、本実施形態のＩＰデータ１０２受信後の複数の送受信局１０と管制局３０との送受信の例を示す図である。図５は、本実施形態の通信帯域の利用の一例を示す図である。図５において、横軸は周波数である。図６は、本実施形態の重複送信保護情報の一例を示す図である。
【００３４】
図５において、符号ｇ１１は、中心周波数がｆ１１の上りのＣＳＣ（Ｃｏｍｍｏｎ  Ｓｉｇｎａｌｉｎｇ  Ｃｈａｎｎｅｌ）である。符号ｇ１２は、中心周波数がｆ１２の下りのＣＳＣである。
符号ｇ１４〜符号ｇ１９は、音声連絡の信号であり、それぞれの中心周波数がｆ１４〜ｆ１９である。
なお、符号ｇ１〜符号ｇ５は、図３と同様である。
【００３５】
図４に示すように、基地局１０−３は、受信したＩＰデータに含まれる受信情報に応じて、図６に示すように、重複送信保護情報にＣｈ２とＣｈ３の通信帯域を追加して更新する。なお、ＳＮＧコントローラ１２が、重複送信保護情報の作成、更新を行う。これにより、基地局１０−３は、Ｃｈ１〜Ｃｈ３の通信帯域に対して重複送信を禁止するように制御する（ｃ１１）。図６において、表ｇ５０は、基地局１０−３のＳＮＧコントローラ１２が、Ｃｈ１を使用してデータを送信したときに作成した重複送信保護情報である。また、表ｇ５１は、基地局１０−３のＳＮＧコントローラ１２が、管制局３０から受信した受信情報に応じて、Ｃｈ２及びＣｈ３の通信帯域に対して重複送信を禁止するように追加して更新した後の重複送信保護情報である。
【００３６】
車載局１０−１は、受信したＩＰデータに含まれる受信情報に応じて、重複送信保護情報にＣｈ１とＣｈ３の通信帯域を追加して更新する。これにより、車載局１０−１は、Ｃｈ１〜Ｃｈ３の通信帯域に対して重複送信を禁止するように制御する（ｃ１２）。
【００３７】
車載局１０−２は、受信したＩＰデータに含まれる受信情報に応じて、重複送信保護情報にＣｈ１とＣｈ２の通信帯域を追加して更新する。これにより、車載局１０−２は、Ｃｈ１〜Ｃｈ３の通信帯域に対して重複送信を禁止するように制御する（ｃ１３）。
【００３８】
一方、本実施形態において、管制局３０は、予め定められている管制局３０が専用する通信帯域を使用して、全ての送受信局１０が使用している通信帯域の使用状況を、全ての送受信局１０へ送信する。この結果、本実施形態では、車載局１０−１、車載局１０−２、及び基地局１０−３それぞれは、自局が送信に使用している通信帯域に加えて、他の送受信局１０が送信に使用している通信帯域を管制局３０から送信される受信情報を取得することができる。そして、車載局１０−１、車載局１０−２、及び基地局１０−３それぞれは、取得した受信情報に応じて、自局が送信に使用している通信帯域に加えて、他の送受信局１０が送信に使用している通信帯域にも重複送信を禁止するように制御する。これにより、本実施形態によれば、自局と他の送受信局１０で送信に使用されている通信帯域に対して送信信号等の重複送信、すなわち誤発射を防ぐことができる。
【００３９】
また、本実施形態によれば、管制局３０がＩＰデータを送信するための通信帯域は予め定められている。このため、送受信局１０それぞれは、管制局３０がＩＰデータを送信するための通信帯域も保護することで、管制局３０が使用する通信帯域への重複送信を防ぐことができる。なお、管制局３０は、ＩＰデータに使用する通信帯域を示す情報をＩＰデータに含めて送信するようにしてもよい。
【００４０】
なお、上述した例では、受信情報の例として、映像データ・音声データが使用されている通信帯域を示す情報を示したが、これに限られない。受信情報は、使用している通信帯域を示す情報が含まれていればよく、送受信局１０または管制局３０が使用している音声連絡やＩＰデータの通信帯域が含まれていてもよい。
【００４１】
ここで、送受信局１０が管制局３０へ送信信号を送信する手順の一例を説明する。例として、車載局１０−１が、Ｃｈ２に加えて、未使用のＣｈ４を使用して送信信号の送信を行う例を説明する。
【００４２】
車載局１０−１のＳＮＧコントローラ１２は、管制局３０から受信したＩＰデータに基づく受信情報を解析して、Ｃｈ１〜Ｃｈ３が使用されていることを検出する。車載局１０−１のＳＮＧコントローラ１２は、Ｃｈ１〜Ｃｈ３に対して重複送信しないようにＣｈ１〜Ｃｈ３の通信帯域を保護する。車載局１０−１のＳＮＧコントローラ１２は、例えばＳＳＰＡ１４が備える衛星通信装置を制御することで、Ｃｈ１〜Ｃｈ３の通信帯域を保護する。
車載局１０−１のＳＮＧコントローラ１２は、例えば図７に示す画像ｇ１００または画像ｇ１００Ａを表示部１６に表示させる。
【００４３】
図７は、本実施形態の表示部１６上に表示される画像（ｇ１００、ｇ１００Ａ）の一例を示す図である。
車載局１０−１の表示部１６上に表示される画像ｇ１００は、Ｃｈ１を選択するボタンの画像（以下、ボタン画像という）ｇ１０１、Ｃｈ２を選択するボタン画像ｇ１０２、及びＣｈ３を選択するボタン画像ｇ１０３を含む。また画像ｇ１００は、Ｃｈ４を選択するボタン画像ｇ１０４、及び送信を指示するボタン画像ｇ１０５を含む。
【００４４】
画像ｇ１００に示す例において、自局が送信しているＣｈ２に対応するボタン画像ｇ１０２は、例えばボタンが押されたように視覚的に認知される画像である。また、ボタン画像ｇ１０１、ボタン画像ｇ１０３〜ボタン画像１０５は、例えばボタンが押されていないように視覚的に認知される画像である。
ここで、車載局１０−１のオペレーターが、Ｃｈ４に対応するボタン画像ｇ１０４を選択した場合、ＳＮＧコントローラ１２は、Ｃｈ４に対応する通信帯域を保護していないので、Ｃｈ４を使用してデータの送信処理を実行する。
一方、オペレーターがヒューマンエラーによって、通信に使用されているチャネル、例えばＣｈ１のボタン画像ｇ１０１を選択した場合、ＳＮＧコントローラ１２は、Ｃｈ１に対応する通信帯域を保護しているので、Ｃｈ１を使用してデータの送信処理を実行しない。なお、ＳＮＧコントローラ１２はＣｈ１〜Ｃｈ３に対応するボタン画像ｇ１０３〜ボタン画像ｇ１０３を選択できないようにしてもよい。
【００４５】
画像ｇ１００Ａは、表示部１６上に表示される他の画像の一例である。
画像ｇ１００Ａに示す例において、自局及び他の送受信局１０が送信しているＣｈ１〜Ｃｈ３に対応するボタン画像ｇ１０１Ａ、ボタン画像ｇ１０２、及びボタン画像ｇ１０３Ａは、例えばボタンが押されたように視覚的に認知される画像である。また、ボタン画像ｇ１０４〜ボタン画像１０５は、例えばボタンが押されていないように視覚的に認知される画像である。
画像ｇ１００Ａの場合、オペレーターは、Ｃｈ１〜Ｃｈ３が選択できないことを視覚的に認知することができる。これにより、オペレーターが選択可能なＣｈ４を選択することができるので、本実施形態によれば、送信信号を重複送信することなく、安全に送信することができる。なお、画像ｇ１００Ａにおいて、ＳＮＧコントローラ１２はＣｈ１〜Ｃｈ３に対応するボタン画像ｇ１０３Ａ、ボタン画像ｇ１０２、及びボタン画像ｇ１０３Ａを選択できないようにしてもよい。
【００４６】
なお、上述した例では、ＳＮＧコントローラ１２が、表示部１６上に表示される操作に関する画像に対して、重複送信しないようにする例を説明したが、これに限られない。例えば、ＳＮＧコントローラ１２は、受信した受信情報に基づいて、ＳＳＰＡ１４が備える衛星通信装置に対して使用されている通信帯域に対して送信できないように保護するようにしてもよい。また、表示部１６上に表示される通信に使用されている通信帯域に対応するボタン画像を選択できないようにしつつ、衛星通信装置に対して使用されている通信帯域に対して送信できないように保護するようにしてもよい。
【００４７】
なお、図７に示した表示部１６上に表示される画像は一例であり、これに限られない。例えば、各ボタン画像に対応付けて『送信中』または『未使用』等の表示をさせるようにしてもよい。また、表示部１６上に表示される画像には、各チャネルの中心周波数、変調方式、出力パワー等を表示するようにしてもよい。
【００４８】
また、車載局１０−１のオペレーターが、仮に図７の画像ｇ１００において、ボタン画像ｇ１０１を選択した場合、ＳＮＧコントローラ１２は、重複送信保護情報に応じて報知する用にしてもよい。例えば、ＳＮＧコントローラ１２は、『このチャネルは、現在使用されているため選択できません。』等を表示部１６上に表示させて報知するようにしてもよい。なお、報知は、音声信号を用いて行うようにしてもよい。
【００４９】
ここで、車載局１０−１から管制局３０にＣｈ４を用いて、送信信号を送信する際の手続きの例を説明する。
車載局１０−１がＣｈ４の通信帯域で送信信号の送信を行う場合、車載局１０−１は、上りのＣＳＣを使用して、管制局３０にＣｈ４を使用して送信信号を送信することを要求する。
次に、管制局３０は、受信したＣＳＣに応じて、下りのＣＳＣを使用して、車載局１０−１にＣｈ４の通信帯域を割り当てたことを通知する。
次に、車載局１０−１は、割り当てられたＣｈ４の通信帯域と音声連絡の通信帯域とを用いて、管制局３０との通信を行う。なお、音声連絡を用いて、例えば車載局１０−１のオペレーターと管制局３０のオペレーターとが音声通信を行う。
【００５０】
これにより、車載局１０−１は、Ｃｈ２に加えてＣｈ４の通信帯域を用いて、管制局３０へ送信信号を送信することができる。
なお、上述した例は一例であり、Ｃｈ４を用いて、車載局１０−１は、車載局１０−２または基地局１０−３へ、送信信号を送信するようにしてもよい。
【００５１】
次に、通信システム１が行う処理手順の例を説明する。
図８は、本実施形態の通信システム１が行う処理のフローチャートの一例を示す図である。
（ステップＳ１）各送受信局１０のＳＮＧコントローラ１２それぞれは、予約してある時刻に予約してある通信帯域を用いて、送信信号を、通信衛星２０を介して管制局３０へ送信する。続けて、ＳＮＧコントローラ１２それぞれは、自局が送信に使用した通信帯域（またはチャネル）に対して重複送信保護情報を作成する。
【００５２】
（ステップＳ２）管制局３０の管制局システムコントローラ３２は、各送受信局１０が送信した送信信号を、通信衛星２０を介して、受信設備３１を用いて受信する。続けて、管制局システムコントローラ３２は、受信した送信信号に基づいて各送受信局１０によって使用されている通信帯域を検出する。
【００５３】
（ステップＳ３；送信ステップ）管制局システムコントローラ３２は、検出した通信帯域に基づいて受信情報を生成する。
【００５４】
（ステップＳ４；送信ステップ）管制局システムコントローラ３２は、生成した受信情報をＩＰデータに変換して、変換したＩＰデータを、通信衛星２０を介して全ての送受信局１０へ送信する。ここで、全ての送受信局１０とは、現在、送信を行っている送受信局１０と、現在送信を行っていない送受信局１０も含む。
【００５５】
（ステップＳ５；保護ステップ）各送受信局１０のＳＮＧコントローラ１２それぞれは、通信衛星２０を介して管制局３０が送信したＩＰデータを、通信部１１を用いて受信する。続けて、各送受信局１０のＳＮＧコントローラ１２それぞれは、受信したＩＰデータに含まれる受信情報を解析して、ステップＳ１で作成した重複送信保護情報に、重複送信を禁止する通信帯域を追加して更新する。
【００５６】
（ステップＳ６；保護ステップ）各送受信局１０のＳＮＧコントローラ１２それぞれは、操作部１７が出力する操作結果に対して、ステップＳ５で更新した重複送信保護情報に基づいてデータの送信を行う。すなわち、ＳＮＧコントローラ１２それぞれは、保護されていない通信帯域を使用して信号（含む送信信号、音声連絡等の音声信号等）を送信することを許可する。
【００５７】
なお、管制局３０は、所定の時間間隔で受信情報を含むＩＰデータを送信する。このため、各送受信局１０のＳＮＧコントローラ１２それぞれは、ＩＰデータを受信したとき毎に重複送信保護情報の更新を行う。
【００５８】
なお、図８で説明した例では、ステップＳ１で送信時に重複送信保護情報を生成し、受信した受信情報に基づいて重複送信保護情報を更新する例を説明したがこれに限られない。ＳＮＧコントローラ１２は、受信した受信情報に基づいて、ステップＳ５で重複送信保護情報を作成するようにしてもよい。
【００５９】
上述した通信システム１によれば、通信衛星回線を介して複数の送受信局１０から受信した送信信号等に基づいて、複数の送受信局１０が使用している通信帯域を示す情報である受信情報を生成し、生成した受信情報を複数の送受信局１０それぞれへ通信衛星回線を介して送信する管制局３０と、管制局３０が送信した受信情報を受信し、受信した受信情報に基づいて使用されている通信帯域を保護する送受信局１０とを持つことにより、使用されている通信帯域を保護することができるので、送信信号等の重複送信を防止することができる。
【００６０】
また、上述した例では、ＩＰデータを、通信衛星２０を介して送受信する例を説明したが、これに限られない。ＩＰデータは、他のネットワークを用いて送受信するようにしてもよい。ここで、他のネットワークとは、地上の通信回線であり、有線または無線による携帯通信網等である。また例ではＩＰデータとしているが、これをプロトコルや、フォーマットも限定するものではなく、１対他の(通信機)を可能とするシリアル通信データ、フォーマットであれば構わない。
【００６１】
図９は、本実施形態の通信システムの他の構成を示す図である。
図９に示すように、通信システム１Ａは、送受信局１０Ａと管制局３０Ａを備える。送受信局１０Ａは、通信部１１Ａ、ＳＮＧコントローラ１２、各単体機器１３、ＳＳＰＡ１４（通信装置）、アンテナ１５、表示部１６、及び操作部１７を備える。また、管制局３０Ａは、受信設備３１、管制局システムコントローラ３２、及び通信部３３Ａを備える。図１の通信システム１と同じ機能を有する機能部については、同じ符号を用いる。
【００６２】
管制局３０Ａの通信部３３Ａは、管制局システムコントローラ３２が出力したＩＰデータ１０２Ａを、プロバイダ４０を介して全ての送受信局１０Ａへ送信する。
プロバイダ４０は、例えば有線または無線による携帯通信網等の地上の通信回線を管理する通信装置である。
送受信局１０Ａの通信部１１Ａは、管制局３０Ａが送信したＩＰデータ１０２Ａを、プロバイダ４０を介して受信し、受信したＩＰデータ１０２ＡをＳＮＧコントローラ１２に出力する。
【００６３】
以上のように、図９に示す構成例において、送受信局１０Ａは、送信信号１０１を、通信衛星回線を介して送信する。また、管制局３０Ａは、ＩＰデータ１０２Ａを、地上の通信回線を介して送信する。
【００６４】
なお、通信システムは、図１に示した構成と図２に示した構成との両方の構成を備えていてもよい。例えば、送受信局１０（または１０Ａ）として、車載局１０−１、車載局１０−２、基地局１０−３を備える場合を例に説明する。この場合、管制局３０（または３０Ａ）は、いずれか１つ以上の送受信局１０（または１０Ａ）に、ＩＰデータを、通信衛星回線を介して送信するようにしてもよい。また、管制局３０（または３０Ａ）は、他の送受信局１０（または１０Ａ）に、ＩＰデータを、地上の通信回線を介して送信するようにしてもよい。
【００６５】
上述した図９の構成の通信システム１Ａによれば、通信衛星回線を介して複数の送受信局１０から受信した送信信号等に基づいて、複数の送受信局１０が使用している通信帯域を示す情報である受信情報を生成し、生成した受信情報を複数の送受信局１０それぞれへ通信衛星回線及び地上の通信回線のうち少なくともひとつを介して送信する管制局３０と、管制局３０が送信した受信情報を受信し、受信した受信情報に基づいて使用されている通信帯域を保護する送受信局１０とを持つことにより、使用されている通信帯域を保護することができるので、送信信号等の重複送信を防止することができる。
【００６６】
また、上述した実施形態では、管制局３０（または３０Ａ）が受信情報をＩＰデータに変換して送信する例を説明したが、これに限られない。管制局３０（または３０Ａ）が送信するデータは、各送受信局１０（または１０Ａ）との間で予め定められている方式のデータであればよい。
【００６７】
また、上述した実施形態では、ＩＰデータに、例えば管制局３０（または３０Ａ）の運用スケジュールも含めるようにしてもよい。
送受信局１０（または１０Ａ）は、受信情報に加えて運用スケジュールを所定の時間間隔で受信して、受信した受信情報と運用スケジュールに基づいて重複送信保護情報を作成、更新するようにしてもよい。例えば、送受信局１０（または１０Ａ）は、運用スケジュールに基づいて、時間帯毎に重複送信保護情報を作成、更新するようにしてもよい。これにより、本実施形態によれば、現在送信している時点から見て未来の情報を取得することで、より強固な送信信号等の重複送信に対する保護を行うことができる。
【００６８】
また、上述した例では、管制局３０（または３０Ａ）が、１つの例を説明したが、管制局３０（または３０Ａ）は、例えば１つの主局と１つ以上の副局を備えていてもよい。この場合、主局と副局との間は、例えば有線のネットワークで接続されている。このように、主局と副局とによって運営が冗長化されている場合、上述した処理を副局も行うようにしてもよい。これにより、本実施形態によれば、主局及び副局それぞれが送信するＩＰデータのうち少なくともひとつを送受信局１０が受信することで、より送信信号等の重複送信を防止することができる。
【００６９】
また、上述した例では、通信システム１（または１Ａ）が、放送局などで使用される例を説明したが、これに限られない。通信システム１（または１Ａ）は、１つのトランスポンダを複数の送受信局が共同で利用するシステムであればよく、例えば防災通信システム等に適用することも可能である。
【００７０】
また、上述した例では、１つのトランスポンダで４組の映像データ・音声データの通信帯域を備える例を説明したが、これに限られない。映像データ・音声データの通信帯域の数は、映像の画質や圧縮方式に応じたものであってもよい。
【００７１】
また、上述の実施形態における送受信局１０（または１０Ａ）及び管制局３０（または３０Ａ）それぞれの構成要素の一部または全ては、コンピュータ装置を基本ハードウェアとして用いることで実現するようにしてもよい。この場合、送受信局１０（または１０Ａ）及び管制局３０（または３０Ａ）それぞれの構成要素の一部または全ては、コンピュータ装置に搭載されたプロセッサにプログラムを実行させることにより実現することができる。このとき、送受信局１０（または１０Ａ）及び管制局３０（または３０Ａ）それぞれの構成要素の一部または全ては、上記のプログラムをコンピュータ装置に予めインストールすることで実現してもよいし、ＣＤ−ＲＯＭなどの記憶媒体に記憶して、あるいはネットワークを介して上記のプログラムを配布して、このプログラムをコンピュータ装置に適宜インストールすることで実現してもよい。
【００７２】
以上説明した少なくともひとつの実施形態によれば、通信衛星回線を介して複数の送受信局１０から受信した送信信号等に基づいて、複数の送受信局１０が使用している通信帯域を示す情報である受信情報を生成し、生成した受信情報を複数の送受信局１０それぞれへ通信衛星回線及び地上の通信回線のうち少なくともひとつを介して送信する管制局３０と、管制局３０が送信した受信情報を受信し、受信した受信情報に基づいて使用されている通信帯域を保護する送受信局１０とを持つことにより、使用されている通信帯域を保護することができるので、送信信号等の重複送信を防止することができる。
【００７３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７４】
１，１Ａ…通信システム、１０，１０Ａ，１０−１，１０−２，１０−３…送受信局、１１，１１Ａ…通信部、１２…ＳＮＧコントローラ、１３…各単体機器、１４…ＳＳＰＡ、１５…アンテナ、１６…表示部、１７…操作部、３０，３１Ａ…管制局、３１…受信設備、３２…管制局システムコントローラ、３２，３３Ａ…通信部、４０…プロバイダ
【図１】
2018050105.tif 000003
【図２】
2018050105.tif 000004
【図３】
2018050105.tif 000005
【図４】
2018050105.tif 000006
【図５】
2018050105.tif 000007
【図６】
2018050105.tif 000008
【図７】
2018050105.tif 000009
【図８】
2018050105.tif 000010
【図９】
2018050105.tif 000011